(57)【要約】  空気汚染表示端末（１００）は、本体筐体（１０２）と、本体筐体（１０２）の現在地を示す位置情報を取得する位置取得部（１１０）と、現在地を含む地域の大気汚染公表値を取得する公表値取得部（１２２）と、現在地の周囲の空気の汚染状態を示す第１汚染値を計測する汚染センサ（１３０）と、第１汚染値と大気汚染公表値とを表示する表示部（１５０）とを備え、位置取得部（１１０）、公表値取得部（１２２）、汚染センサ（１３０）及び表示部（１５０）は、本体筐体（１０２）と一体化されている。
2019167713.tif 000002
【特許請求の範囲】
【請求項１】
本体筐体と、
前記本体筐体の現在地を示す位置情報を取得する位置取得部と、
前記現在地を含む地域の大気汚染公表値を取得する公表値取得部と、
前記現在地の周囲の空気の汚染状態を示す第１汚染値を計測する第１センサと、
前記第１汚染値と前記大気汚染公表値とを表示する表示部とを備え、
前記位置取得部、前記公表値取得部、前記第１センサ及び前記表示部は、前記本体筐体と一体化されている
空気汚染表示端末。
【請求項２】
さらに、前記空気汚染表示端末とは別体で設けられ、設けられた位置の周囲の空気の汚染状態を示す第２汚染値を計測する第２センサから前記第２汚染値を取得する汚染値取得部を備え、
前記表示部は、さらに、前記第２汚染値を表示する
請求項１に記載の空気汚染表示端末。
【請求項３】
前記第２センサは、屋外と屋内との各々に少なくとも１つずつ設けられ、
前記汚染値取得部は、屋外に設けられた少なくとも１つの第２センサと、屋内に設けられた少なくとも１つの第２センサとの各々から前記第２汚染値を取得する
請求項２に記載の空気汚染表示端末。
【請求項４】
屋内に設けられた少なくとも１つの第２センサは、空気浄化装置に設けられており、
前記汚染値取得部は、前記空気浄化装置と通信することで、前記空気浄化装置に設けられた第２センサから前記第２汚染値を取得する
請求項３に記載の空気汚染表示端末。
【請求項５】
さらに、現在時刻を取得する時刻取得部を備え、
前記表示部は、さらに、前記現在時刻と前記現在地とを表示する
請求項１〜４のいずれか１項に記載の空気汚染表示端末。
【請求項６】
さらに、
所定の地点を示す地点情報の入力を受け付ける受付部と、
前記地点情報が示す地点と前記現在地との距離を取得する距離取得部とを備え、
前記公表値取得部は、さらに、前記現在地を含む地域の風向及び風量の公表値を取得し、
前記表示部は、さらに、前記風向及び風量の公表値と前記距離とを表示する
請求項１〜５のいずれか１項に記載の空気汚染表示端末。
【請求項７】
前記公表値取得部は、前記大気汚染公表値を複数の手段で取得する
請求項１〜６のいずれか１項に記載の空気汚染表示端末。
【請求項８】
さらに、前記大気汚染公表値及び前記第１汚染値の少なくとも一方に基づいて、所定の地点の汚染状況を予測する予測部を備え、
前記表示部は、前記予測部によって予測された汚染状況を表示する
請求項１〜７のいずれか１項に記載の空気汚染表示端末。
【発明の詳細な説明】
【技術分野】
【０００１】
本発明は、空気汚染表示端末に関する。
【背景技術】
【０００２】
例えば、特許文献１には、多数の地域で観測された排気ガス情報などの環境情報が配信されており、配信された環境情報を取得することで、快適な運転ルートを探索する運転支援システムが開示されている。
【先行技術文献】
【特許文献】
【０００３】
【特許文献１】特開２００９−２２９３９７号公報
【発明の概要】
【発明が解決しようとする課題】
【０００４】
しかしながら、上記従来技術では、配信された環境情報の信頼性が必ずしも高くない。例えば、ある地域の環境情報は、当該地域に含まれる所定の観測点における環境情報であるので、当該地域内においても観測点から離れた位置の環境情報とは異なる場合がある。このため、局所的な空気汚染が発生している場合などの実際の環境状態を正確に表せていない場合が起こりうる。【０００５】
そこで、本発明は、信頼性の高い空気汚染状況を提示することができる空気汚染表示端末を提供することを目的とする。
【課題を解決するための手段】
【０００６】
上記目的を達成するため、本発明の一態様に係る空気汚染表示端末は、本体筐体と、前記本体筐体の現在地を示す位置情報を取得する位置取得部と、前記現在地を含む地域の大気汚染公表値を取得する公表値取得部と、前記現在地の周囲の空気の汚染状態を示す第１汚染値を計測する第１センサと、前記第１汚染値と前記大気汚染公表値とを表示する表示部とを備え、前記位置取得部、前記公表値取得部、前記第１センサ及び前記表示部は、前記本体筐体と一体化されている。
【発明の効果】
【０００７】
本発明に係る空気汚染表示端末によれば、信頼性の高い空気汚染状況を提示することができる。
【図面の簡単な説明】
【０００８】
【図１】図１は、実施の形態に係る空気汚染表示端末の使用状況の一例を説明するための模式図である。
【図２】図２は、実施の形態に係る空気汚染表示端末を備える空気汚染表示システムの構成を示すブロック図である。
【図３】図３は、実施の形態に係る空気汚染表示端末に表示される、汚染状況を提示するための画像の一例を示す図である。
【図４】図４は、実施の形態に係る空気汚染表示端末に表示される、現在地とは異なる地点を入力するための画像の一例を示す図である。
【図５】図５は、実施の形態に係る空気汚染表示端末に表示される、大気汚染公表値を示す画像の一例を示す図である。
【図６】図６は、実施の形態に係る空気汚染表示端末に表示される、大気汚染の予測値を示す画像の一例を示す図である。
【発明を実施するための形態】
【０００９】
以下では、本発明の実施の形態に係る空気汚染表示端末について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、独立請求項に記載されていない構成要素については、任意の構成要素として説明される。
【００１０】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００１１】
（実施の形態）
［概要］
まず、実施の形態に係る空気汚染表示端末の使用状況について、図１を用いて説明する。図１は、本実施の形態に係る空気汚染表示端末１００の使用状況の一例を説明するための模式図である。
【００１２】
図１に示されるように、本実施の形態に係る空気汚染表示端末１００は、例えば、ユーザＵによって携帯可能である。具体的には、空気汚染表示端末１００は、携帯電話、スマートフォン又はタブレット端末などと同等のサイズ及び重さを有し、ユーザＵによって片手又は両手で自在に持ち運びが可能である。
【００１３】
なお、空気汚染表示端末１００のサイズ及び重さは特に限定されない。空気汚染表示端末１００は、持ち運び不可能であってもよい。例えば、空気汚染表示端末１００は、壁などに備え付けられた表示端末であってもよい。
【００１４】
図１では、ユーザＵが屋内空間９０に存在しており、空気汚染表示端末１００を操作している様子が示されている。屋内空間９０は、例えば、ユーザＵの居住空間、学習空間又は執務空間などであるが、これらに限らない。屋内空間９０は、建物の室内、又は、電車若しくは自動車などの移動体の屋内の空間である。
【００１５】
屋内空間９０には、例えば、空気浄化装置４０及びエアコン４２が配置されている。空気浄化装置４０及びエアコン４２を動作させることで、屋内空間９０の空気環境を調整することができる。
【００１６】
空気浄化装置４０は、空気中の汚染物質を除去する空気清浄機、又は、除菌若しくは殺菌作用を有する次亜塩素酸発生器などである。例えば、空気浄化装置４０は、ＰＭ（Particulate Matter）２．５などの粒子状物質を除去する。本実施の形態では、空気浄化装置４０には、屋内センサ５０が設けられている。
【００１７】
エアコン４２は、屋内空間９０の温度、湿度及び気流などを調整する。エアコン４２は、屋内空間９０の外側の空気である外気（大気）と、屋内空間９０の内側の空気との入れ換え（すなわち、換気）を行ってもよい。
【００１８】
屋内空間９０には、屋外と繋がるドア９２及び窓９４が設けられている。例えば、ドア９２又は窓９４を開けることで、換気を行うことができる。
【００１９】
詳細については後述するが、空気汚染表示端末１００には、現在地を含む地域の大気汚染公表値と、各センサで取得した汚染値とが表示される。ユーザＵは、表示された大気汚染公表値などを確認することで、例えば、換気を行うか否か、洗濯物を屋外に干すか屋内に干すか、又は、外出するタイミングなどを判断することができる。また、ユーザＵは、外出の際にマスクを着用するか否か、又は、外出時の目的地までのルートなどを判断することができる。あるいは、ユーザＵは、空気浄化装置４０又はエアコン４２のオンオフ又は動作モードを判断することができる。
【００２０】
このように、本実施の形態に係る空気汚染表示端末１００は、ユーザＵが所定の行為を行うときの判断材料として、大気汚染に関する情報をユーザＵに提供する。
【００２１】
［空気汚染表示システム］
続いて、本実施の形態に係る空気汚染表示システムの構成について、図２を用いて説明する。
【００２２】
図２は、本実施の形態に係る空気汚染表示システム１０の構成を示すブロック図である。図２に示されるように、空気汚染表示システム１０は、配信サーバ２０と、屋外センサ３０と、空気浄化装置４０と、屋内センサ５０と、空気汚染表示端末１００とを備える。
【００２３】
配信サーバ２０は、大気汚染公表値を配信するサーバ装置である。配信サーバ２０は、政府、自治体又は専門機関などの管理者によって管理されており、管理者が管理する管理領域の複数箇所に設置された複数の汚染センサの各々で測定された汚染値を大気汚染公表値として配信する。管理領域は、設置された汚染センサ毎の複数の地域に区分されている。大気汚染公表値は、地域毎に管理されている。
【００２４】
配信サーバ２０は、空気汚染表示端末１００と通信可能である。配信サーバ２０は、空気汚染表示端末１００からの要求に応じて、大気汚染公表値を空気汚染表示端末１００に送信する。
【００２５】
大気汚染公表値は、具体的には、粒子状物質の質量濃度、大気汚染物質に含まれる気体の濃度、及び、空気質指数の少なくとも１つの公表値である。粒子状物質には、ＰＭ０．１、ＰＭ２．５、ＰＭ１０、ＳＰＭ（Suspended Particulate Matter）、ＴＰＭ（Total Particulate Matter）などが含まれる。気体には、二酸化硫黄（ＳＯ２）、一酸化窒素（ＮＯ）、二酸化窒素（ＮＯ２）、窒素酸化物（ＮＯｘ）、一酸化炭素（ＣＯ）、二酸化炭素（ＣＯ２）、光化学オキシダント（Ｏｘ）、オゾン（Ｏ３）、揮発性有機化合物（ＶＯＣ：Volatile Organic Compound）などが含まれる。空気質指数には、ＡＱＩ（Air Quality Index）、ＡＱＨＩ（Air Quality Health Index）、ＣＡＱＩ（Common Air Quality Index）、ＡＰＩ（Air Pollution Index）などが含まれる。
【００２６】
また、配信サーバ２０は、大気汚染公表値だけでなく、気象情報を配信してもよい。気象情報には、天候、気温、湿度、降水量（又は降雪量）、風向、風量などの少なくとも１つが含まれる。なお、１つの配信サーバ２０が大気汚染公表値と気象情報とを配信してもよく、２つ以上の異なる配信サーバ２０がそれぞれ、大気汚染公表値、又は、気象情報を配信してもよい。
【００２７】
屋外センサ３０は、空気汚染表示端末１００とは別体で設けられ、設けられた位置の周囲の空気の汚染状態を示す第２汚染値を計測する第２センサの一例である。屋外センサ３０は、空気汚染表示端末１００と通信可能であり、計測した第２汚染値を屋外センサ値として空気汚染表示端末１００に送信する。
【００２８】
屋外センサ３０は、外気（大気）に含まれる汚染物質の量を示す指標値を屋外センサ値として計測する。具体的には、屋外センサ３０は、粒子状物質の質量濃度、大気汚染物質に含まれる気体の濃度、及び、空気質指数の少なくとも１つを計測する。ここでの粒子状物質、気体及び空気質指数はいずれも、大気汚染公表値と同様である。屋外センサ３０は、例えば、国若しくは自治体、又は、専門機関などが公表する大気汚染公表値と同じ種類の汚染値を計測する。
【００２９】
屋外センサ３０は、屋外に配置されている。図１に示されるように、屋外センサ３０は、屋内空間９０の外側であって、例えば窓９４の外側に配置されている。なお、屋外センサ３０の配置位置は、屋外であれば特に限定されない。また、複数の屋外センサ３０が屋外の異なる位置に配置されていてもよい。
【００３０】
屋内センサ５０は、空気汚染表示端末１００とは別体で設けられ、設けられた位置の周囲の空気の汚染状態を示す第２汚染値を計測する第２センサの一例である。屋内センサ５０は、空気汚染表示端末１００と通信可能であり、計測した第２汚染値を屋内センサ値として空気汚染表示端末１００に送信する。
【００３１】
屋内センサ５０は、具体的には、粒子状物質の質量濃度、大気汚染物質に含まれる気体の濃度、及び、空気質指数の少なくとも１つを計測する。ここでの粒子状物質、気体及び空気質指数はいずれも、大気汚染公表値と同様である。屋内センサ５０は、例えば、国若しくは自治体、又は、専門機関などが公表する大気汚染公表値と同じ種類の汚染値を計測する。
【００３２】
屋内センサ５０は、屋内に配置されている。図１に示されるように、屋内センサ５０は、屋内空間９０内であって、例えば空気浄化装置４０に設けられている。なお、屋内センサ５０の配置位置は、屋内であれば特に限定されない。また、複数の屋内センサ５０が屋内の異なる位置に配置されていてもよい。
【００３３】
空気汚染表示端末１００は、図２に示されるように、本体筐体１０２と、位置取得部１１０と、通信部１２０と、汚染センサ１３０と、制御部１４０と、表示部１５０と、受付部１６０とを備える。
【００３４】
本実施の形態では、位置取得部１１０と、通信部１２０と、汚染センサ１３０と、制御部１４０と、表示部１５０と、受付部１６０とが、本体筐体１０２と一体化されている。例えば、位置取得部１１０、通信部１２０、汚染センサ１３０、制御部１４０、表示部１５０及び受付部１６０は、本体筐体１０２の内部に収納されている。なお、表示部１５０の表示面は、少なくとも外部から視認可能に配置されている。また、汚染センサ１３０は、例えば、空気の吸気口及び排気口が本体筐体１０２の外部に露出していてもよい。
【００３５】
本体筐体１０２は、空気汚染表示端末１００の外郭筐体である。本体筐体１０２の形状は、例えば、スマートフォン又はタブレット端末などのように扁平な略直方体であるが、これに限らない。本体筐体１０２は、持ち運びが容易になるように、ユーザＵによって把持される把持部を有してもよい。
【００３６】
位置取得部１１０は、本体筐体１０２の現在地を示す位置情報を取得する。位置情報は、例えば、現在地の緯度及び経度を示している。なお、屋内空間９０が高層ビルの一室である場合、又は、屋内空間９０が地下室である場合、地上付近と上層又は地下とでは空気汚染の状況が異なりうる。このため、位置情報には、階数を示すフロア情報が含まれてもよい。
【００３７】
位置取得部１１０は、例えば、ＧＰＳ（Global Positioning System）受信機で実現される。なお、位置取得部１１０は、タッチパネルディスプレイ及び無線通信モジュールで実現されてもよい。具体的には、ユーザＵに現在地の地名などを入力させるＧＵＩ（Graphical User Interface）画像をタッチパネルディスプレイが表示し、無線通信モジュールが配信サーバ２０などと通信することで、入力された地名の緯度及び経度を示す位置情報を取得してもよい。
【００３８】
通信部１２０は、例えば、無線通信を行う無線通信モジュールで実現される。あるいは、通信部１２０は、有線通信を行ってもよい。通信部１２０は、着脱自在な有線ケーブルが接続可能な通信インタフェースで実現されてもよい。例えば、屋内センサ５０からのセンサ値を取得する場合に、着脱自在な有線ケーブルが通信部１２０に接続され、空気汚染表示端末１００を屋外に持ち出す場合に、有線ケーブルが取り外されてもよい。
【００３９】
通信部１２０は、図２に示されるように、公表値取得部１２２と、汚染値取得部１２４とを備える。
【００４０】
公表値取得部１２２は、現在地を含む地域の大気汚染公表値を取得する。具体的には、公表値取得部１２２は、配信サーバ２０と通信することで、配信サーバ２０から大気汚染公表値を取得する。
【００４１】
例えば、公表値取得部１２２は、位置取得部１１０によって取得された位置情報が示す現在地を含む地域の大気汚染公表値の要求を配信サーバ２０に送信する。配信サーバ２０では、要求への応答として、現在地を含む地域の大気汚染公表値を空気汚染表示端末１００に送信する。公表値取得部１２２は、送信された大気汚染公表値を取得する。
【００４２】
公表値取得部１２２は、さらに、受付部１６０によって取得された地点情報が示す地点の大気汚染公表値を取得してもよい。例えば、公表値取得部１２２は、地点情報を含む要求を配信サーバ２０に送信し、当該要求の応答として、地点情報が示す地域の大気汚染公表値を取得してもよい。
【００４３】
公表値取得部１２２は、大気汚染公表値を複数の手段で取得してもよい。例えば、公表値取得部１２２は、複数の配信サーバ２０に要求することで、複数の配信サーバ２０から大気汚染公表値を取得してもよい。また、公表値取得部１２２は、配信サーバ２０と直接、通信しなくてもよく、例えば、ユーザＵが所有するスマートフォン、タブレット端末又はパーソナルコンピュータを介して、大気汚染公表値を取得してもよい。
【００４４】
また、公表値取得部１２２は、現在地を含む地域の気象情報を取得してもよい。例えば、公表値取得部１２２は、現在地を含む地域の風向及び風量の公表値を取得してもよい。
【００４５】
汚染値取得部１２４は、空気汚染表示端末１００とは別体で設けられた汚染センサで計測された汚染値を取得する。本実施の形態では、汚染値取得部１２４は、屋外センサ３０と屋内センサ５０との各々から汚染値を取得する。
【００４６】
具体的には、汚染値取得部１２４は、屋外センサ３０と通信することで、屋外センサ３０で計測された汚染値を、屋外センサ３０から屋外センサ値として取得する。また、汚染値取得部１２４は、屋内センサ５０と通信することで、屋内センサ５０で計測された汚染値を、屋内センサ値として取得する。本実施の形態では、屋内センサ５０が空気浄化装置４０に設けられているので、汚染値取得部１２４は、空気浄化装置４０と通信することで、空気浄化装置４０を介して屋内センサ５０で計測された汚染値を取得してもよい。
【００４７】
汚染センサ１３０は、現在地の周囲の空気の汚染状態を示す第１汚染値を計測する第１センサの一例である。汚染センサ１３０は、空気汚染表示端末１００の周囲の空気に含まれる汚染物質の量を示す指標値をセンサ値として計測する。具体的には、汚染センサ１３０は、粒子状物質の質量濃度、大気汚染物質に含まれる気体の濃度、及び、空気質指数の少なくとも１つを計測する。ここでの粒子状物質、気体及び空気質指数はいずれも、大気汚染公表値と同様である。汚染センサ１３０は、例えば、国若しくは自治体、又は、専門機関などが公表する大気汚染公表値と同じ種類の汚染値を計測する。汚染センサ１３０は、本体筐体１０２と一体化されているので、本体筐体１０２が存在する場所に応じて、屋外の汚染状態を示す汚染値、及び、屋内の汚染状態を示す汚染値を取得することができる。
【００４８】
汚染センサ１３０は、ユーザＵによる操作を受け付けたタイミングで汚染値を計測する。例えば、ユーザＵが表示部１５０への大気汚染公表値の表示を要求したタイミングで、汚染センサ１３０は、汚染値を計測する。これにより、表示部１５０には、大気汚染公表値だけでなく、空気汚染表示端末１００の周囲の最新の汚染値、すなわち、センサによる実測値が表示される。
【００４９】
制御部１４０は、空気汚染表示端末１００が備える各処理部を制御する。例えば、制御部１４０は、公表値取得部１２２が取得した大気汚染公表値と、汚染値取得部１２４が取得したセンサ値とを含む画像を生成し、生成した画像を表示部１５０に表示させる。
【００５０】
制御部１４０は、例えば、プログラムが格納された不揮発性メモリ、プログラムを実行するための一時的な記憶領域である揮発性メモリ、入出力ポート、プログラムを実行するプロセッサなどで実現される。制御部１４０が備える時刻取得部１４２、距離取得部１４４及び予測部１４６はそれぞれ、プロセッサによって実行されるソフトウェアで実現されてもよく、複数の回路素子を含む電子回路などのハードウェアで実現されてもよい。
【００５１】
図２に示されるように、制御部１４０は、時刻取得部１４２と、距離取得部１４４と、予測部１４６とを備える。なお、制御部１４０は、時刻取得部１４２と、距離取得部１４４と、予測部１４６との少なくとも１つを備えなくてもよい。
【００５２】
時刻取得部１４２は、現在時刻を示す時刻情報を取得する。時刻取得部１４２は、プロセッサのタイマ機能などで実現される。あるいは、時刻取得部１４２は、無線通信モジュールで実現されてもよく、時刻サーバ装置から現在時刻を取得してもよい。
【００５３】
距離取得部１４４は、受付部１６０によって取得された地点情報が示す地点と現在地との距離を取得する。地点情報は、例えば、現在地とは異なる地点であり、一例として、ユーザＵの外出の目的地などである。距離取得部１４４は、現在地の緯度及び経度と、地点情報が示す地点の緯度及び経度とに基づいて距離を算出することで取得する。あるいは、距離取得部１４４は、無線通信モジュールで実現されてもよく、配信サーバ２０から距離を取得してもよい。
【００５４】
予測部１４６は、大気汚染公表値及びセンサ値の少なくとも一方に基づいて、所定の地点の汚染状況を予測する。例えば、予測部１４６は、現在地の将来の時点での汚染状況を予測する。あるいは、予測部１４６は、地点情報が示す地点の現在又は将来の時点での汚染状況を予測する。
【００５５】
予測部１４６は、例えば、大気汚染公表値と、屋外センサ３０によって取得された屋外センサ値と、公表値取得部１２２によって取得された風向及び風量と、距離取得部１４４によって取得された距離とを用いて、地点情報が示す地点の将来の時点での汚染状況を予測する。なお、空気汚染表示端末１００が屋外に持ち出されている場合、予測部１４６は、大気汚染公表値及び屋外センサ値の代わりに、汚染センサ１３０によって取得されたセンサ値を用いてもよい。例えば、現在地などの所定の地点に存在する汚染物質が、風向が示す方向に向かって風速と同じ速度で移動するという仮定に基づいて、予測部１４６は、所定の地点の汚染状況を予測する。なお、この予測の手法は一例に過ぎず、特に限定されない。
【００５６】
表示部１５０は、例えば、液晶表示装置又は有機ＥＬ（Electroluminescence）表示装置で実現される。表示部１５０は、汚染センサ１３０で取得されたセンサ値と、大気汚染公表値とを表示する。表示部１５０は、現在地の大気汚染公表値だけでなく、受付部１６０によって取得された地点情報が示す地点の大気汚染公表値を表示してもよい。
【００５７】
また、本実施の形態では、表示部１５０は、さらに、屋外センサ値及び屋内センサ値を表示する。さらに、表示部１５０は、現在地、現在時刻、風向及び風量の公表値を表示してもよい。また、表示部１５０は、受付部１６０によって入力された地点情報が示す地点までの距離を表示してもよい。表示部１５０は、予測部１４６によって予測された汚染状況を表示してもよい。
【００５８】
受付部１６０は、例えば、タッチパネルディスプレイなどで実現される。このとき、表示部１５０と共通のディスプレイを利用することができる。
【００５９】
受付部１６０は、所定の地点を示す地点情報の入力を受け付ける。例えば、ユーザＵは、外出する際の目的地を入力する。これにより、空気汚染表示端末１００は、目的地の大気汚染公表値、及び、その予測値などを表示することができる。
【００６０】
［表示例］
続いて、以上のように構成された空気汚染表示端末１００の表示部１５０に表示される画像の例を、図３〜図６を用いて説明する。
【００６１】
図３は、本実施の形態に係る空気汚染表示端末１００に表示される、汚染状況を提示するための画像の一例を示す図である。
【００６２】
図３に示されるように、空気汚染表示端末１００の表示部１５０には、一画面内に同時に、大気汚染公表値を示す公表値情報２０２と、屋内センサ値を示す屋内センサ値情報２０４と、屋外センサ値を示す屋外センサ値情報２０６とが表示されている。なお、図３では、大気汚染公表値及び各センサ値の一例として、ＰＭ２．５の質量濃度を示している。
【００６３】
公表値情報２０２は、公表値取得部１２２が配信サーバ２０から取得した大気汚染公表値である。公表値情報２０２は、例えば、半円形のメータグラフによって大気汚染公表値を示している。図３では、メータグラフの指針は、黒塗りの細長い三角形で図示されている。また、大気汚染公表値の実際の数値“５（μｇ／ｍ３）”をメータグラフの中央に示している。
【００６４】
屋内センサ値情報２０４及び屋外センサ値情報２０６も、同様に、半円形のメータグラフによって各センサ値を示している。なお、大気汚染公表値及び各センサ値の表示形式は、これに限定されない。単に数値のみを表示してもよく、棒グラフで示してもよい。また、１つのグラフに公表値情報２０２、屋内センサ値情報２０４及び屋外センサ値情報２０６が表示されていてもよい。
【００６５】
屋内センサ値情報２０４は、屋内センサ５０で計測された屋内センサ値を示している。あるいは、屋内センサ値情報２０４は、空気汚染表示端末１００が屋内に存在する場合に、汚染センサ１３０で計測されたセンサ値を示していてもよい。
【００６６】
屋外センサ値情報２０６は、屋外センサ３０で計測された屋外センサ値を示している。あるいは、屋外センサ値情報２０６は、空気汚染表示端末１００が屋外に存在する場合に、汚染センサ１３０で計測されたセンサ値を示していてもよい。
【００６７】
なお、汚染センサ１３０で計測されたセンサ値は、屋内センサ値情報２０４及び屋外センサ値情報２０６とは別に表示されていてもよい。
【００６８】
また、表示部１５０には、汚染値の時系列情報２０８と、現在地の状況を示す現在地状況情報２１０とが表示されている。時系列情報２０８は、大気汚染公表値、屋内センサ値及び屋外センサ値の少なくとも１つの時間変化を示すグラフである。
【００６９】
現在地状況情報２１０は、現在地、現在時刻、並びに、風向及び風量の公表値を示している。例えば、現在地は、地名で表されているが、緯度及び経度、又は、地図で表されていてもよい。また、現在時刻は、デジタル時計方式で表されているが、アナログ時計方式で表されていてもよい。風向及び風量の公表値は、文字及び数値で表されているが、地図上の矢印の向き及びその大きさで表されていてもよい。
【００７０】
また、複数の地点の大気汚染公表値を表示する場合、１つの地図上で同時に表示してもよい。あるいは、図３に示される画面と同様の画面を複数生成し、スクロール又はスワイプなどによって画面を切り替えることで表示されてもよい。
【００７１】
図４は、本実施の形態に係る空気汚染表示端末１００に表示される、現在地とは異なる地点を入力するための画像の一例を示す図である。
【００７２】
図４に示されるように、空気汚染表示端末１００の表示部１５０には、地名を入力するためのテキストボックス２１２が表示されている。また、表示部１５０には、地図２１４が表示されている。例えば、ユーザＵは、テキストボックス２１２に入力する代わりに、地図２１４上で所定の位置を指定することで、所定の地点の入力を行ってもよい。
【００７３】
地図２１４には、現在地を示す現在地識別子２１６と、目的地を示す目的地識別子２１８とが重畳表示されている。現在地識別子２１６は、位置取得部１１０によって取得された現在地に対応する位置に所定形状（例えば、円形）のマークで表される。目的地識別子２１８は、受付部１６０によって入力が受け付けられた位置に所定形状（例えば、逆三角形）のマークで表される。
【００７４】
さらに、地図２１４には、現在地識別子２１６から目的地識別子２１８に向かう太線の矢印が表示されている。当該矢印の近傍に、現在地と目的地との間の距離を示す距離情報２２０が表示されている。地図２１４上で現在地及び目的地、並びに、距離を表すことで、ユーザＵによる閲覧性が向上する。ユーザＵは、例えば一見しただけで、得たい情報を視覚的に把握することができる。なお、地図２１４上に、大気汚染公表値、及び、各センサ値を重畳させて表示してもよい。
【００７５】
なお、図３に示す画面と図４に示す画面とは、例えば、本体筐体１０２に設けられたボタン１０４を押下することで切り替えられる。あるいは、ボタン１０４を押すことで、表示画面の選択画面が表示されてもよい。選択画面上では、各画面のアイコンが表示され、当該アイコンを選択することで、選択された画面が表示されてもよい。画面の切り替え方式は、特に限定されない。また、後述する図５及び図６に示す画面への切り替えについても同様である。
【００７６】
図５は、本実施の形態に係る空気汚染表示端末１００に表示される、大気汚染公表値を示す画像の一例を示す図である。
【００７７】
図５に示されるように、空気汚染表示端末１００の表示部１５０には、地図２２２が表示されている。地図２２２は、図４に示す地図２１４よりも広域の範囲内を示している。
【００７８】
地図２２２上に表されている小さい丸印は、大気汚染公表値を示している。図５では示されていないが、複数の丸印は、予め定められた複数の色から選択された１つ以上の色で塗り分けされている。複数の色は、大気汚染公表値の大きさで分類された複数の区分に一対一で対応付けられている。つまり、色を確認することで、その地域の大気汚染公表値のおおよその値が分かる。
【００７９】
また、地図２２２上に表されている矢印は、風向及び風量の公表値を示している。矢印の向きが風向を示しており、矢印の大きさが風量を示している。
【００８０】
このように、表示部１５０は、現在地だけでなく、複数の地点の大気汚染公表値、並びに、風向及び風量の公表値を表示してもよい。また、表示部１５０は、図５に示されるように、現在地を含む広い範囲の公表値をまとめて表示してもよい。
【００８１】
図６は、本実施の形態に係る空気汚染表示端末に表示される、大気汚染の予測値を示す画像の一例を示す図である。
【００８２】
図６に示されるように、空気汚染表示端末１００の表示部１５０には、地図２２４が表示されている。地図２２４は、図５に示す地図２２２と同等の範囲内を示している。地図２２４上の小さい丸印及び矢印の意味は、図５に示される丸印及び矢印の意味と同じである。
【００８３】
地図２２４は、予測部１４６が、例えば、大気汚染公表値、並びに、風向及び風量の公表値を用いて各地点での大気汚染公表値などを予測することで生成された予測結果である。なお、図６では、複数地点での予測結果を示す例として、地図２２４上に予測結果を表示したが、これに限らない。予測結果は、図３に示す画面と同様に、所定の一地点のみの予測値として表示されてもよい。
【００８４】
［効果など］
以上のように、本実施の形態に係る空気汚染表示端末１００は、本体筐体１０２と、本体筐体１０２の現在地を示す位置情報を取得する位置取得部１１０と、現在地を含む地域の大気汚染公表値を取得する公表値取得部１２２と、現在地の周囲の空気の汚染状態を示す第１汚染値を計測する汚染センサ１３０と、第１汚染値と大気汚染公表値とを表示する表示部１５０とを備える。位置取得部１１０、公表値取得部１２２、汚染センサ１３０及び表示部１５０は、本体筐体１０２と一体化されている。
【００８５】
本実施の形態に係る空気汚染表示端末１００は、汚染センサ１３０を備えることで、空気汚染表示端末１００が存在する周囲の空気汚染の状況を直接的に判断することができる。このため、大気汚染公表値だけでは判断することが難しい局所的な空気汚染の状況もユーザＵに提示することができる。
【００８６】
また、空気汚染表示端末１００は、センサ値だけでなく、大気汚染公表値も表示するので、現在地を含む地域の大気汚染の状況をユーザＵは判断することができる。例えば、ユーザＵが屋内空間９０から屋外へ出ようとした場合に、大気汚染公表値を確認することで、実際に屋外へ出なくても屋外の大気汚染の状況を判断することができる。
【００８７】
このように、本実施の形態に係る空気汚染表示端末１００は、広範囲の大気汚染の状況と、局所的な空気汚染の状況との両方を表示することができる。これにより、空気汚染表示端末１００は、信頼性の高い空気汚染状況を提示することができる。したがって、ユーザＵは、提示された情報に基づいて行動のする／しないを含めて、行動の詳細の判断を行うことができる。このように、空気汚染表示端末１００は、ユーザＵの行動の判断を支援することができる。
【００８８】
また、例えば、空気汚染表示端末１００は、さらに、空気汚染表示端末１００とは別体で設けられ、設けられた位置の周囲の空気の汚染状態を示す第２汚染値を計測する屋外センサ３０又は屋内センサ５０から第２汚染値を取得する汚染値取得部１２４を備える。表示部１５０は、さらに、第２汚染値を表示する。
【００８９】
これにより、ユーザＵに提示される情報が多くなるので、ユーザＵは、行動の的確な判断を行うことができる。このように、空気汚染表示端末１００は、ユーザＵの行動の的確な判断を支援することができる。
【００９０】
また、例えば、汚染値取得部１２４は、屋外に設けられた少なくとも１つの屋外センサ３０と、屋内に設けられた少なくとも１つの屋内センサ５０との各々から第２汚染値を取得する。
【００９１】
これにより、屋外センサ値と屋内センサ値とが表示されるので、ユーザＵは、屋外と屋内とでの空気汚染状況の違いを判断することができる。
【００９２】
このため、例えば、屋外センサ値が高く、屋内センサ値が低い場合には、空気浄化装置４０又はエアコン４２による空気浄化機能が効果的に働いていることをユーザＵは知ることができる。また、屋外センサ値が高いので、ユーザＵは、ドア９２又は窓９４を開けて換気を行う、又は、屋外に洗濯物を干すのは好ましくない状況であると判断することができる。また、屋外センサ値が高いので、ユーザＵは、屋外へ外出する場合には、マスクを着用すべきであると判断することができる。
【００９３】
また、例えば、屋外センサ値と屋内センサ値とが共に低い場合、ユーザＵは、空気浄化装置４０又はエアコン４２による空気浄化機能を働かせなくてもよいと判断することができる。このため、空気浄化機能を停止させることで、省エネルギー化、又は、浄化フィルタの劣化の抑制を実現することができる。
【００９４】
このように、空気汚染表示端末１００は、ユーザＵの行動の的確な判断を支援することができる。また、結果として、空気汚染表示端末１００は、ユーザＵの健康促進、又は、他の家電機器の省エネルギー化などを支援することができる。
【００９５】
また、例えば、屋内に設けられた少なくとも１つの屋内センサ５０は、空気浄化装置４０に設けられている。汚染値取得部１２４は、空気浄化装置４０と通信することで、空気浄化装置４０に設けられた屋内センサ５０から第２汚染値を取得する。
【００９６】
これにより、空気浄化装置４０に設けられた屋内センサ５０からセンサ値を取得するので、既存のセンサを有効に利用することができる。このため、新たなセンサの導入にかかるコストを削減することもできる。
【００９７】
また、例えば、空気汚染表示端末１００は、さらに、現在時刻を取得する時刻取得部１４２を備える。表示部１５０は、さらに、現在時刻と現在地とを表示する。
【００９８】
これにより、現在時刻と現在地とを表示するので、時刻及び場所毎に汚染値を管理することができる。このため、例えば、ユーザＵは、局所的に空気汚染が発生する時刻又は場所を判断することができる。
【００９９】
また、例えば、空気汚染表示端末１００は、さらに、所定の地点を示す地点情報の入力を受け付ける受付部１６０と、地点情報が示す地点と現在地との距離を取得する距離取得部１４４とを備える。公表値取得部１２２は、さらに、現在地を含む地域の風向及び風量の公表値を取得する。表示部１５０は、さらに、風向及び風量の公表値と距離とを表示する。
【０１００】
これにより、例えば、ユーザＵが外出の目的地を入力することで、目的地の空気汚染の状況の予測に利用可能な風向、風量及び距離が表示される。したがって、ユーザＵは、表示された情報に基づいて、目的地までのルート、目的地へ到達する時刻、又は、目的地へ行くか否かなどの行動の判断を行うことができる。このように、本実施の形態に係る空気汚染表示端末１００は、ユーザＵの行動の判断を支援することができる。
【０１０１】
また、例えば、公表値取得部１２２は、大気汚染公表値を複数の手段で取得してもよい。
【０１０２】
これにより、複数の大気汚染公表値が取得されるので、ユーザＵに提示される情報が多くなる。したがって、ユーザＵは、行動の的確な判断を行うことができる。このように、空気汚染表示端末１００は、ユーザＵの行動の的確な判断を支援することができる。
【０１０３】
また、例えば、空気汚染表示端末１００は、さらに、大気汚染公表値及び汚染センサ１３０で計測された第１汚染値の少なくとも一方に基づいて、所定の地点の汚染状況を予測する予測部１４６を備える。表示部１５０は、予測部１４６によって予測された汚染状況を表示する。
【０１０４】
これにより、現在地の現在時刻だけでなく、例えば、将来の時点における空気汚染の状況をユーザＵに提示することができる。また、例えば、現在地とは異なる別の地点の現在又は将来の時点における空気汚染の状況をユーザＵに提示することができる。このように、ユーザＵにより多くの情報を提示することができるので、空気汚染表示端末１００は、ユーザＵの行動の判断を支援することができる。
【０１０５】
（その他）
以上、本発明に係る空気汚染表示端末について、上記の実施の形態に基づいて説明したが、本発明は、上記の実施の形態に限定されるものではない。
【０１０６】
例えば、空気汚染表示端末１００は、別体のセンサからの汚染値を取得又は表示しなくてもよい。つまり、空気汚染表示端末１００は、汚染値取得部１２４を備えなくてもよい。
【０１０７】
また、例えば、汚染値取得部１２４は、屋外センサ３０及び屋内センサ５０の両方からのセンサ値を取得しなくてもよく、いずれか一方のみからのセンサ値を取得してもよい。
【０１０８】
また、例えば、表示部１５０は、現在地及び現在時刻の少なくとも一方を表示しなくてもよい。このため、例えば、制御部１４０は、時刻取得部１４２を備えなくてもよい。
【０１０９】
また、例えば、表示部１５０は、汚染値の予測結果を表示しなくてもよい。このため、例えば、制御部１４０は、予測部１４６を備えなくてもよい。また、公表値取得部１２２は、予測に利用するための風向及び風量を取得しなくてもよい。
【０１１０】
また、例えば、空気汚染表示端末１００は、受付部１６０を備えなくてもよい。つまり、ユーザＵからの地点情報の入力を受け付けなくてもよい。この場合、制御部１４０は、距離取得部１４４を備えなくてもよい。
【０１１１】
また、上記実施の形態で説明した装置間の通信方法については特に限定されるものではない。装置間で無線通信が行われる場合、無線通信の方式（通信規格）は、例えば、Ｚｉｇｂｅｅ（登録商標）、Ｂｌｕｅｔｏｏｔｈ（登録商標）、又は、無線ＬＡＮ（Local Area Network）などの近距離無線通信である。あるいは、無線通信の方式（通信規格）は、インターネットなどの広域通信ネットワークを介した通信でもよい。また、装置間においては、無線通信に代えて、有線通信が行われてもよい。有線通信は、具体的には、電力線搬送通信（ＰＬＣ：Power Line Communication）又は有線ＬＡＮを用いた通信などである。
【０１１２】
また、上記実施の形態において、特定の処理部が実行する処理を別の処理部が実行してもよい。また、複数の処理の順序が変更されてもよく、あるいは、複数の処理が並行して実行されてもよい。また、空気汚染表示システム１０が備える構成要素の複数の装置への振り分けは、一例である。例えば、一の装置が備える構成要素を他の装置が備えてもよい。また、空気汚染表示システム１０は、単一の装置として実現されてもよい。
【０１１３】
例えば、上記実施の形態において説明した処理は、単一の装置（システム）を用いて集中処理することによって実現してもよく、又は、複数の装置を用いて分散処理することによって実現してもよい。また、上記プログラムを実行するプロセッサは、単数であってもよく、複数であってもよい。すなわち、集中処理を行ってもよく、又は分散処理を行ってもよい。
【０１１４】
また、上記実施の形態において、制御部などの構成要素の全部又は一部は、専用のハードウェアで構成されてもよく、あるいは、各構成要素に適したソフトウェアプログラムを実行することによって実現されてもよい。各構成要素は、ＣＰＵ（Central Processing Unit）又はプロセッサなどのプログラム実行部が、ＨＤＤ（Hard Disk Drive）又は半導体メモリなどの記録媒体に記録されたソフトウェアプログラムを読み出して実行することによって実現されてもよい。
【０１１５】
また、制御部などの構成要素は、１つ又は複数の電子回路で構成されてもよい。１つ又は複数の電子回路は、それぞれ、汎用的な回路でもよいし、専用の回路でもよい。
【０１１６】
１つ又は複数の電子回路には、例えば、半導体装置、ＩＣ（Integrated Circuit）又はＬＳＩ（Large Scale Integration）などが含まれてもよい。ＩＣ又はＬＳＩは、１つのチップに集積されてもよく、複数のチップに集積されてもよい。ここでは、ＩＣ又はＬＳＩと呼んでいるが、集積の度合いによって呼び方が変わり、システムＬＳＩ、ＶＬＳＩ（Very Large Scale Integration）、又は、ＵＬＳＩ（Ultra Large Scale Integration）と呼ばれるかもしれない。また、ＬＳＩの製造後にプログラムされるＦＰＧＡ（Field Programmable Gate Array）も同じ目的で使うことができる。
【０１１７】
また、本発明の全般的又は具体的な態様は、システム、装置、方法、集積回路又はコンピュータプログラムで実現されてもよい。あるいは、当該コンピュータプログラムが記憶された光学ディスク、ＨＤＤ若しくは半導体メモリなどのコンピュータ読み取り可能な非一時的記録媒体で実現されてもよい。また、システム、装置、方法、集積回路、コンピュータプログラム及び記録媒体の任意な組み合わせで実現されてもよい。
【０１１８】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１１９】
３０  屋外センサ（第２センサ）
４０  空気浄化装置
５０  屋内センサ（第２センサ）
１００  空気汚染表示端末
１０２  本体筐体
１１０  位置取得部
１２２  公表値取得部
１２４  汚染値取得部
１３０  汚染センサ（第１センサ）
１４２  時刻取得部
１４４  距離取得部
１４６  予測部
１５０  表示部
１６０  受付部
【図１】
2019167713.tif 000003
【図２】
2019167713.tif 000004
【図３】
2019167713.tif 000005
【図４】
2019167713.tif 000006
【図５】
2019167713.tif 000007
【図６】
2019167713.tif 000008
【国際調査報告】
2019167713.tif 000009
2019167713.tif 000010
2019167713.tif 000011
2019167713.tif 000012